(57)【特許請求の範囲】
【請求項１】
関連ユーザー確定方法であって、
取得モジュールが、ユーザーの顔集合が複数含まれる顔アルバムを取得することと、
確定選択モジュールが、前記顔アルバムにおけるターゲットユーザーを確定し、前記顔アルバムから前記ターゲットユーザーの少なくとも一つの候補関連ユーザーを選択することと、
確定設定モジュールが、前記候補関連ユーザーの属性情報を取得し、前記属性情報に基づいて前記ターゲットユーザーの関連ユーザーを確定し、前記関連ユーザーのためにラベル情報を設定することとを含み、
前記確定設定モジュールは、取得削除サブモジュールと、判断確定サブモジュールとを含み、
前記確定設定モジュールが、前記候補関連ユーザーの属性情報を取得し、前記属性情報に基づいて前記ターゲットユーザーの関連ユーザーを確定することは、
前記取得削除サブモジュールが、前記候補関連ユーザーの性別および年齢情報を取得し、前記年齢情報に基づいて年齢要求に合わない候補関連ユーザーを削除することと、
前記判断確定サブモジュールが、残りの候補関連ユーザーの各性別のユーザー数に基づいて残りの候補関連ユーザーが関連ユーザー数を超えるかを判断し、超えない場合、前記残りの候補関連ユーザーが前記関連ユーザーであると確定し、超える場合、予め設定された条件に応じて前記関連ユーザーを確定することとを含む、前記関連ユーザー確定方法。
【請求項２】
前記確定選択モジュールは、取得比較サブモジュールと、確定サブモジュールとを含み、
前記確定選択モジュールが、前記の前記顔アルバムから前記ターゲットユーザーの少なくとも一つの候補関連ユーザーを選択することは、
前記取得比較サブモジュールが、前記顔アルバムにおけるすべてのユーザーの顔がある写真を取得し、取得された前記ターゲットユーザー以外のユーザーの顔がある写真を前記ターゲットユーザーの顔がある写真と比較することと、
前記確定サブモジュールが、前記ターゲットユーザーと同じ顔がある写真の数が予め設定された数より大きいユーザーを前記候補関連ユーザーとすることとを含むことを特徴とする
請求項１に記載の関連ユーザー確定方法。
【請求項３】
前記取得削除サブモジュールは、収集抽出訓練ユニットと、取得ユニットとを含み、
前記取得削除サブモジュールが、前記の前記候補関連ユーザーの性別および年齢情報を取得することは、
前記収集抽出訓練ユニットが、訓練サンプルを収集し、ｇａｂｏｒ特徴が含まれる前記訓練サンプルの特徴を抽出し、前記特徴に基づいてＳＶＭ分類器が含まれる分類器を訓練することと、
前記取得ユニットが、前記分類器を使用して前記候補関連ユーザーの性別および所属する年齢層を取得することとを含むことを特徴とする
請求項１に記載の関連ユーザー確定方法。
【請求項４】
前記確定設定モジュールが、前記の予め設定された条件に応じて前記関連ユーザーを確定することは、
前記確定設定モジュールが、前記残りの候補関連ユーザーの顔数を取得し、前記顔数が最大の候補関連ユーザーを前記関連ユーザーとすることを含むことを特徴とする
請求項１に記載の関連ユーザー確定方法。
【請求項５】
前記取得ユニットが、前記の前記分類器を使用して前記候補関連ユーザーの性別および所属する年齢層を取得することは、
各候補関連ユーザーに対して、前記分類器を使用して現在の候補関連ユーザーの各顔の年齢を取得し、各顔に対応する写真撮影時間を取得し、前記年齢よび前記写真撮影時間に基づいて各顔に対応する誕生時間を計算し、計算された前記誕生時間に基づいて前記現在の候補関連ユーザーの所属する年齢層を確定することと、
各候補関連ユーザーに対して、前記分類器を使用して現在の候補関連ユーザーの各顔の性別を取得し、取得された性別が同じである場合、取得された性別を前記現在の候補関連ユーザーの性別とし、取得された性別が異なる場合、異なる性別に属する現在の候補関連ユーザー顔の数を統計し、前記数がより大きい顔に対応する性別を前記現在の候補関連ユーザーの性別とすることとを含むことを特徴とする
請求項３に記載の関連ユーザー確定方法。
【請求項６】
前記取得ユニットが、前記の前記分類器を使用して前記現在の候補関連ユーザーの各顔の年齢および性別を取得することは、
現在の候補関連ユーザーの各顔に対して、前記分類器を使用して現在の候補関連ユーザーの現在の顔の年齢および性別を取得し、前記現在の顔の照度および姿態情報を計算し、計算結果が照度および姿態要求に合う場合、取得された年齢および性別を前記現在の顔の年齢および性別とし、前記現在の顔およびそれに対応する年齢および性別をデータベースに記憶し、計算結果が照度および姿態要求に合わない場合、前記データベースから前記現在の顔のマッチング顔を取得し、前記マッチング顔の年齢および性別を前記現在の顔の年齢および性別とすることとを含むことを特徴とする
請求項５に記載の関連ユーザー確定方法。
【請求項７】
関連ユーザー確定装置であって、
ユーザーの顔集合が複数含まれる顔アルバムを取得するように構成される取得モジュールと、
前記取得モジュールにより取得された前記顔アルバムにおけるターゲットユーザーを確定し、前記顔アルバムから前記ターゲットユーザーの少なくとも一つの候補関連ユーザーを選択するように構成される確定選択モジュールと、
前記確定選択モジュールにより選択された前記候補関連ユーザーの属性情報を取得し、前記属性情報に基づいて前記ターゲットユーザーの関連ユーザーを確定し、前記関連ユーザーのためにラベル情報を設定するように構成される確定設定モジュールとを含み、
前記確定設定モジュールは、
前記候補関連ユーザーの性別および年齢情報を取得し、前記年齢情報に基づいて年齢要求に合わない候補関連ユーザーを削除するように構成される取得削除サブモジュールと、
残りの候補関連ユーザーの各性別のユーザー数に基づいて残りの候補関連ユーザーが関連ユーザー数を超えるかを判断し、超えない場合、前記残りの候補関連ユーザーを前記関連ユーザーとし、超える場合、予め設定された条件に応じて前記関連ユーザーを確定するように構成される判断確定サブモジュールとを含む、前記関連ユーザー確定装置。
【請求項８】
前記確定選択モジュールは、
前記顔アルバムにおけるすべてのユーザーの顔がある写真を取得し、取得された前記ターゲットユーザー以外のユーザーの顔がある写真を前記ターゲットユーザーの顔がある写真と比較するように構成される取得比較サブモジュールと、
前記ターゲットユーザーと同じ顔がある写真の数が予め設定された数より大きいユーザーを前記候補関連ユーザーとするように構成される確定サブモジュールとを含むことを特徴とする
請求項７に記載の関連ユーザー確定装置。
【請求項９】
前記取得削除サブモジュールは、
訓練サンプルを収集し、ｇａｂｏｒ特徴が含まれる前記訓練サンプルの特徴を抽出し、前記特徴に基づいてＳＶＭ分類器が含まれる分類器を訓練するように構成される収集抽出訓練ユニットと、
前記分類器を使用して前記候補関連ユーザーの性別および所属する年齢層を取得するように構成される取得ユニットとを含むことを特徴とする
請求項８に記載の関連ユーザー確定装置。
【請求項１０】
前記判断確定サブモジュールは、
前記残りの候補関連ユーザーの顔数を取得し、前記顔数が最大の候補関連ユーザーを前記関連ユーザーとするように構成されることを特徴とする
請求項８に記載の関連ユーザー確定装置。
【請求項１１】
前記取得ユニットは、
各候補関連ユーザーに対して、前記分類器を使用して現在の候補関連ユーザーの各顔の年齢を取得し、各顔に対応する写真撮影時間を取得し、前記年齢および前記写真撮影時間に基づいて各顔に対応する誕生時間を計算し、計算された前記誕生時間に基づいて前記現在の候補関連ユーザーの所属する年齢層を確定し、
各候補関連ユーザーに対して、前記分類器を使用して現在の候補関連ユーザーの各顔の性別を取得し、取得された性別が同じである場合、取得された性別を前記現在の候補関連ユーザーの性別とし、取得された性別が異なる場合、異なる性別に属する現在の候補関連ユーザー顔の数を統計し、前記数がより大きい顔に対応する性別を前記現在の候補関連ユーザーの性別とするように構成されることを特徴とする
請求項９に記載の関連ユーザー確定装置。
【請求項１２】
前記取得ユニットは、
現在の候補関連ユーザーの各顔に対して、前記分類器を使用して現在の候補関連ユーザーの現在の顔の年齢および性別を取得し、前記現在の顔の照度および姿態情報を計算し、計算結果が照度および姿態要求に合う場合、取得された年齢および性別を前記現在の顔の年齢および性別とし、前記現在の顔およびそれに対応する年齢および性別をデータベースに記憶し、計算結果が照度および姿態要求に合わない場合、前記データベースから前記現在の顔のマッチング顔を取得し、前記マッチング顔の年齢および性別を前記現在の顔の年齢および性別とするように構成されることを特徴とする
請求項１１に記載の関連ユーザー確定装置。
【請求項１３】
関連ユーザー確定装置であって、
プロセッサと、
プロセッサ実行可能命令を記憶するためのメモリとを含み、
ここで、前記プロセッサが、
ユーザーの顔集合が複数含まれる顔アルバムを取得し、
前記顔アルバムにおけるターゲットユーザーを確定し、前記顔アルバムから前記ターゲットユーザーの少なくとも一つの候補関連ユーザーを選択し、
前記候補関連ユーザーの属性情報を取得し、前記属性情報に基づいて前記ターゲットユーザーの関連ユーザーを確定し、前記関連ユーザーのためにラベル情報を設定するように構成され、
ここで、前記プロセッサが前記の前記候補関連ユーザーの属性情報を取得し、前記属性情報に基づいて前記ターゲットユーザーの関連ユーザーを確定することは、
前記プロセッサが前記候補関連ユーザーの性別および年齢情報を取得し、前記年齢情報に基づいて年齢要求に合わない候補関連ユーザーを削除することと、
前記プロセッサが残りの候補関連ユーザーの性別に基づいて残りの候補関連ユーザーが関連ユーザー数を超えるかを判断し、超えない場合、前記残りの候補関連ユーザーが前記関連ユーザーであると確定し、超える場合、予め設定された条件に応じて前記関連ユーザーを確定することを特徴とする、前記関連ユーザー確定装置。
【発明の詳細な説明】
【技術分野】
【０００１】
本願は、出願番号２０１５１０４６３６３５．Ｘ、出願日２０１５年７月３１日の中国特許出願に基づいて提案され、当該中国特許出願の優先権を主張し、当該中国特許出願のすべての内容がここで参照により本明細書に組み込まれる。
【０００２】
本開示は、画像技術処理分野に関し、特に関連ユーザー確定方法および装置に関する。
【背景技術】
【０００３】
移動端末技術の急激な発展に伴い、様々な移動端末例えば携帯電話は、非常に人気があり、かつ、機能がますます強くなる。例えば、ユーザーは、携帯電話を使用して写真を撮ることができ、且つ友達と写真を共有することができる。
【０００４】
写真の数がますます増えていることに伴い、ユーザーが家族アルバムを作成したいなどの操作を行う場合、あるユーザーまたはいくつかのユーザーの関連ユーザーを手動で検索し、その後関連ユーザーに基づいてその後の家族アルバムを作成するなどの操作を実行する必要がある。例えば、現在、子供のアルバムのみがあるので、大量の写真から子供の関連ユーザー即ち彼の父親と母親を検索して家族アルバムを作成する必要がある。
【０００５】
ただし、関連ユーザーを手動で確定する操作は、比較的煩雑であり、ユーザーの大量の時間を浪費する。
【発明の概要】
【発明が解決しようとする課題】
【０００６】
本開示の実施例は、現在の、関連ユーザーを確定する操作が比較的煩雑である課題を解決するように、関連ユーザー確定方法および装置を提供する。
【課題を解決するための手段】
【０００７】
本開示の実施例の第１の態様による関連ユーザー確定方法は、
複数のユーザーの顔集合が含まれる顔アルバムを取得することと、
前記顔アルバムにおけるターゲットユーザーを確定し、前記顔アルバムから前記ターゲットユーザーの少なくとも一つの候補関連ユーザーを選択することと、
前記候補関連ユーザーの属性情報を取得し、前記属性情報に基づいて前記ターゲットユーザーの関連ユーザーを確定し、前記関連ユーザーのためにラベル情報を設定することとを含む。
【０００８】
一つの実施例において、前記の前記顔アルバムから前記ターゲットユーザーの少なくとも一つの候補関連ユーザーを選択することは、
前記顔アルバムにおけるすべてのユーザーの顔源写真を取得し、取得された前記ターゲットユーザー以外のユーザーの顔源写真を前記ターゲットユーザーの顔源写真と比較することと、
前記ターゲットユーザーと同じ顔源写真の数が予め設定された数より大きいユーザーを前記候補関連ユーザーとすることとを含む。
【０００９】
一つの実施例において、前記の前記候補関連ユーザーの属性情報を取得し、前記属性情報に基づいて前記ターゲットユーザーの関連ユーザーを確定することは、
前記候補関連ユーザーの性別および年齢情報を取得し、前記年齢情報に基づいて年齢要求に合わない候補関連ユーザーを削除することと、
残りの候補関連ユーザーの性別に基づいて残りの候補関連ユーザーが関連ユーザー数を超えるかを判断し、超えない場合、前記残りの候補関連ユーザーが前記関連ユーザーであると確定し、超える場合、予め設定された条件に応じて前記関連ユーザーを確定することとを含む。
【００１０】
一つの実施例において、前記の前記候補関連ユーザーの性別および年齢情報を取得することは、
訓練サンプルを収集し、ｇａｂｏｒ特徴が含まれる前記訓練サンプルの特徴を抽出し、前記特徴に基づいてＳＶＭ分類器が含まれる分類器を訓練することと、
前記分類器を使用して前記候補関連ユーザーの性別および所属する年齢層を取得することとを含む。
【００１１】
一つの実施例において、前記の予め設定された条件に応じて前記関連ユーザーを確定することは、
前記残りの候補関連ユーザーの顔数を取得し、前記顔数が最大の候補関連ユーザーを前記関連ユーザーとすることを含む。
【００１２】
一つの実施例において、前記の前記分類器を使用して前記候補関連ユーザーの性別および所属する年齢層を取得することは、
各候補関連ユーザーに対して、前記分類器を使用して現在の候補関連ユーザーの各顔の年齢を取得し、各顔に対応する写真撮影時間を取得し、前記年齢と前記写真撮影時間に基づいて各顔に対応する誕生時間を計算し、計算された前記誕生時間に基づいて前記現在の候補関連ユーザーの所属する年齢層を確定することと、
各候補関連ユーザーに対して、前記分類器を使用して現在の候補関連ユーザーの各顔の性別を取得し、取得された性別が同じである場合、取得された性別を前記現在の候補関連ユーザーの性別とし、取得された性別が異なる場合、異なる性別に属する現在の候補関連ユーザーの顔数を統計し、前記数がより大きい顔に対応する性別を前記現在の候補関連ユーザーの性別とすることとを含む。
【００１３】
一つの実施例において、前記の前記分類器を使用して現在の候補関連ユーザーの各顔の年齢および性別を取得することは、
現在の候補関連ユーザーの各顔に対して、前記分類器を使用して現在の候補関連ユーザーの現在の顔の年齢および性別を取得し、前記現在の顔の照度および姿態情報を計算し、計算結果が照度と姿態要求に合う場合、取得された年齢および性別を前記現在の顔の年齢および性別とし、そして前記現在の顔およびそれに対応する年齢および性別をデータベースに記憶し、計算結果が照度と姿態要求に合わない場合、前記データベースから前記現在の顔のマッチング顔を取得し、そして前記マッチング顔の年齢および性別を前記現在の顔の年齢および性別することとを含む。
【００１４】
本公開実施例の第２の態様による関連ユーザー確定装置は、
複数のユーザーの顔集合が含まれる顔アルバムを取得するように構成される取得モジュールと、
前記取得モジュールにより取得された前記顔アルバムにおけるターゲットユーザーを確定し、前記顔アルバムから前記ターゲットユーザーの少なくとも一つの候補関連ユーザーを選択するように構成される確定選択モジュールと、
前記確定選択モジュールにより選択された前記候補関連ユーザーの属性情報を取得し、前記属性情報に基づいて前記ターゲットユーザーの関連ユーザーを確定し、前記関連ユーザーのためにラベル情報を設定するように構成される確定設定モジュールとを含む。
【００１５】
一つの実施例において、前記確定選択モジュールは、
前記顔アルバムにおけるすべてのユーザーの顔源写真を取得し、取得された前記ターゲットユーザー以外のユーザーの顔源写真を前記ターゲットユーザーの顔源写真と比較するように構成される取得比較サブモジュールと、
前記ターゲットユーザーと同じ顔源写真の数が予め設定された数より大きいユーザーを前記候補関連ユーザーとするように構成される確定サブモジュールとを含む。
【００１６】
一つの実施例において、前記確定設定モジュールは、
前記候補関連ユーザーの性別および年齢情報を取得し、前記年齢情報に基づいて年齢要求に合わない候補関連ユーザーを削除するように構成される取得削除サブモジュールと、
残りの候補関連ユーザーの性別に基づいて残りの候補関連ユーザーが関連ユーザー数を超えるかを判断し、超えない場合、前記残りの候補関連ユーザーが前記関連ユーザーであると確定し、超える場合、予め設定された条件に応じて前記関連ユーザーを確定するように構成される判断確定サブモジュールとを含む。
【００１７】
一つの実施例において、前記取得削除サブモジュールは
訓練サンプルを収集し、ｇａｂｏｒ特徴が含まれる前記訓練サンプルの特徴を抽出し、前記特徴に基づいてＳＶＭ分類器が含まれる分類器を訓練するように構成される収集抽出訓練ユニットと、
前記収集抽出訓練ユニットにより訓練された前記分類器を使用して前記候補関連ユーザーの性別および所属する年齢層を取得するように構成される取得ユニットとを含む。
【００１８】
一つの実施例において、前記判断確定サブモジュールは、
前記残りの候補関連ユーザーの顔数を取得し、前記顔数が最大の候補関連ユーザーを前記関連ユーザーとするように構成される。
【００１９】
一つの実施例において、前記取得ユニットは
各候補関連ユーザーに対して、前記分類器を使用して現在の候補関連ユーザーの各顔の年齢を取得し、各顔に対応する写真撮影時間を取得し、前記年齢と前記写真撮影時間に基づいて各顔に対応する誕生時間を計算し、計算された前記誕生時間に基づいて前記現在の候補関連ユーザーの所属する年齢層を確定し、
各候補関連ユーザーに対して、前記分類器を使用して現在の候補関連ユーザーの各顔の性別を取得し、取得された性別が同じである場合、取得された性別を前記現在の候補関連ユーザーの性別とし、取得された性別が異なる場合、異なる性別に属する現在の候補関連ユーザー顔の数を統計し、前記数がより大きい顔に対応する性別を前記現在の候補関連ユーザーの性別とするように構成される。
【００２０】
一つの実施例において、前記取得ユニットは
現在の候補関連ユーザーの各顔に対して、前記分類器を使用して現在の候補関連ユーザーの現在の顔の年齢および性別を取得し、前記現在の顔の照度および姿態情報を計算し、計算結果が照度と姿態要求に合う場合、取得された年齢および性別を前記現在の顔の年齢および性別とし、前記現在の顔およびそれに対応する年齢および性別をデータベースに記憶し、計算結果が照度と姿態要求に合わない場合、前記データベースから前記現在の顔のマッチング顔を取得し、前記マッチング顔の年齢および性別を前記現在の顔の年齢および性別とするように構成される。
【００２１】
本公開の実施例の第３の態様による関連ユーザー確定装置は、
プロセッサと、
プロセッサ実行可能命令を記憶するためのメモリとを含み、
ここで、プロセッサが、
複数のユーザーの顔集合が含まれる顔アルバムを取得し、
前記顔アルバムにおけるターゲットユーザーを確定し、前記顔アルバムから前記ターゲットユーザーの少なくとも一つの候補関連ユーザーを選択し、
前記候補関連ユーザーの属性情報を取得し、前記属性情報に基づいて前記ターゲットユーザーの関連ユーザーを確定し、前記関連ユーザーのためにラベル情報を設定するように構成される。
【００２２】
本開示の実施例による技術的解決手段は、顔アルバムを取得し、顔アルバムにおけるターゲットユーザーを確定し、顔アルバムからターゲットユーザーの少なくとも一つの候補関連ユーザーを選択し、その後候補関連ユーザーの属性情報を取得し、属性情報に基づいてターゲットユーザーの関連ユーザーを確定し、最後関連ユーザーのためにラベル情報を設定することにより、実現過程が迅速かつ簡単であり、ユーザが頻雑な操作を行う必要がなく、ユーザーのために大量の時間を節約するという有益な効果を含むことができる。
【００２３】
候補関連ユーザーを確定する方式は、簡単であり、容易に実現される。
【００２４】
候補関連ユーザーの属性情報に基づいて関連ユーザを確定する方式は、簡単であり、容易に実現される。
【００２５】
間連ユーザーの属性情報を取得する方式は、簡単かつ柔軟である。
【００２６】
予め設定された条件に応じて関連ユーザーを確定する方式は、簡単でありかつ正確率が高い。
【００２７】
各候補関連ユーザーのすべての顔に対応する性別および年齢情報を取得し、その後すべての顔に対応する性別および年齢情報に基づいて候補関連ユーザーの性別および年齢層を確定することにより、正確率が高い。
【００２８】
現在の顔が照度および姿態要求に合う場合、取得された年齢および性別を直接に現在の顔の年齢および性別とし、現在の顔が照度および姿態要求に合わない場合、データベースから現在の顔のマッチング顔を取得し、マッチング顔の年齢および性別を現在の顔の年齢および性別とすることにより、現在の顔の性別および性別の識別正確率が保証される。
【００２９】
以上の一般的な説明と後の詳細な説明は、例示的なものと解釈的なものであるが、本開示を限定できないと理解すべきである。
【図面の簡単な説明】
【００３０】
【図１】一つの例示的な実施例による関連ユーザー確定方法のフローチャートである。
【図２ａ】一つの例示的な実施例による顔アルバムを示す図である。
【図２ｂ】一つの例示的な実施例による顔集合を示す図である。
【図３】一つの例示的な実施例による関連ユーザー確定方法のシーン図。
【図４ａ】一つの例示的な実施例によるユーザーの属性情報を取得するフローチャートである。
【図４ｂ】一つの例示的な実施例による現在の候補関連ユーザーの年齢情報を取得するフローチャートである。
【図５】一つの例示的な実施例による顔年齢を取得するフローチャートである。
【図６】一つの例示的な実施例による関連ユーザー確定装置のブロック図である。
【図７】一つの例示的な実施例による別の関連ユーザー確定装置のブロック図である。
【図８】一つの例示的な実施例による別の関連ユーザー確定装置のブロック図である。
【図９】一つの例示的な実施例による別の関連ユーザー確定装置のブロック図である。
【図１０】一つの例示的な実施例による関連ユーザー確定装置に適用するブロック図である。
【発明を実施するための形態】
【００３１】
ここの図面は、明細書に組み込まれて本明細書の一部分を構成し、本発明に合う実施例を示し、明細書とともに本発明の原理を解釈することに用いられる。
【００３２】
ここで、例示的な実施例を詳しく説明し、その例が図面に示される。以下の説明が図面に関する場合、他に示されない限り、異なる図面の同じ数字は、同じまたは類似の要素を表す。以下の例示的な実施例において説明された実施形態は、本発明と一致するすべての実施形態を代表しない。逆に、それらは、特許請求の範囲に詳しく記載される、本発明のいくつかの方面と一致する装置および方法の例だけである。
【００３３】
図１は一つの例示的な実施例による関連ユーザー確定方法のフローチャートである。図１に示すように、当該関連ユーザー確定方法は、移動端末に応用されることができ、当該移動端末が携帯電話を含むがこれに限定されなく、当該方法は、以下のステップＳ１０１−Ｓ１０３を含む。
【００３４】
ステップＳ１０１において、複数のユーザーの顔集合が含まれる顔アルバムを取得する。
【００３５】
当該実施例において、移動端末例えば携帯電話が「顔アルバム」を開いた場合、サービス側から複数のユーザーの顔集合が含まれる顔アルバムを取得することができる。
【００３６】
図２ａに顔アルバムの例が示される。当該顔アルバムは、複数のユーザーの顔集合を含み、あるユーザーの顔集合が図２ｂに示されることができる。
【００３７】
ステップＳ１０２において、当該顔アルバムにおけるターゲットユーザーを確定し、当該顔アルバムからターゲットユーザーの少なくとも一つの候補関連ユーザーを選択する。
【００３８】
当該実施例において、ターゲットユーザーが子供であってよく、顔アルバムを取得した後、当該顔アルバムから子供の顔集合を識別し、同時に子供の顔集合における顔の数に基づいてターゲットユーザーを確定することができる。例えば、現在の顔アルバムにおいて二つの子供の顔集合があると仮定し、一番目の子供の顔集合に含まれる顔の数が４であり、二番目の子供の顔集合に含まれる顔の数は５０である場合、二番目の子供がターゲットユーザーであると確定できる。
【００３９】
ターゲットユーザーを確定する後、以下の方式により顔アルバムからターゲットユーザーの少なくとも一つの候補関連ユーザーを選択することができるが、これらの方式に限定しない。前記方式は、顔アルバムにおけるすべてのユーザーの顔源写真を取得し、取得されたターゲットユーザー以外のユーザーの顔源写真をターゲットユーザーの顔源写真と比較し、その後ターゲットユーザーと同じ顔源写真の数が予め設定された数より大きいユーザーを候補関連ユーザーとすることである。
【００４０】
ここで、顔源写真が顔がある写真であり、写真１に顔１と顔２が含まれる場合、顔１と顔２の源写真がいずれも写真１であり、写真２に顔３が含まれる場合、顔３の源写真が写真２である。前記予め設定された数は、必要に応じて柔軟に設定されることができ、例えば、１０枚、１５枚などであってよい。
【００４１】
現在の顔アルバムにユーザー１−５の合計のユーザーの顔集合が含まれると仮定し、ユーザー１がターゲットユーザーであり、この五つのユーザーの顔源写真を取得し、ユーザー２−５の顔源写真をそれぞれユーザー１の顔源写真と比較し、ユーザー２とユーザー１の間の同じ顔源写真の数が２枚である場合、ユーザー２とユーザー１が２枚の集合写真があり、ユーザー３とユーザー１の間の同じ顔源写真の数が３０枚である場合、ユーザー３とユーザー１が３０枚の集合写真があり、ユーザー４とユーザー１の間の同じ顔源写真の数が３３枚である場合、ユーザー４とユーザー１が３３枚の集合写真があり、ユーザー５とユーザー１の間の同じ顔源写真の数が２０枚である場合、ユーザー５とユーザー１が２０枚の集合写真があることを発見すると仮定し、予め設定された数が１０枚であると仮定する場合、ユーザー３、ユーザー４とユーザー５がターゲットユーザーの候補関連ユーザーであると確定できる。
【００４２】
ステップＳ１０３において、候補関連ユーザーの属性情報を取得し、属性情報に基づいてターゲットユーザーの関連ユーザーを確定し、関連ユーザーのためにラベル情報を設定する。
【００４３】
ターゲットユーザーの候補関連ユーザーを確定する後、候補関連ユーザーの属性情報を取得し、属性情報に基づいてターゲットユーザーの関連ユーザーを確定することができる。
【００４４】
例えば、候補関連ユーザーの性別および年齢情報を取得し、年齢情報に基づいて年齢要求に合わない候補関連ユーザーを削除し、その後残りの候補関連ユーザーの性別に基づいて残りの候補関連ユーザーが関連ユーザーの数を超えるかを判断し、超えない場合、残りの候補関連ユーザーが関連ユーザーであると確定し、超える場合、予め設定された条件例えば候補関連ユーザーの顔数に基づいて関連ユーザーを確定することができる。
【００４５】
上記の例を続けて説明する。ユーザー３の性別が男であり、所属する年齢層が１０−１５であり、ユーザー４の性別が女であり、所属する年齢層が２５−３０であり、ユーザー５の性別が男であり、所属する年齢層が２８−３５であることを取得したと仮定し、ユーザー３の年齢層が年齢要求に合わないため、ユーザー３を削除し、ユーザー４とユーザー５の性別に基づいてユーザー４とユーザー５が関連ユーザー数の要求に合うと確定できるため、ユーザー４とユーザー５がターゲットユーザーの関連ユーザーであり、例えば、ユーザー４がターゲットユーザーの母親であり、ユーザー５がターゲットユーザーの父親であると確定する。
【００４６】
ただし、ユーザー３の性別が男であり、所属する年齢層が２５−３０であることを取得したと仮定する場合、ユーザー３−５がいずれも年齢要求に合い、ユーザー３とユーザー５がいずれも男性であり、関連ユーザー数を超え、この場合、予め設定条件に応じてユーザー３とユーザー５に対してさらに選択する必要があり、例えば、ユーザー３とユーザー５の顔数を取得でき、ユーザー３の顔数（３０枚）がユーザー５の顔数（２０枚）より大きいため、ユーザー３がターゲットユーザーの関連ユーザーであると確定する。
【００４７】
前記の予め設定された条件に応じて関連ユーザーを確定する方式は、簡単かつ正確率が高い。
【００４８】
ターゲットユーザーの関連ユーザーを確定する後、ラベル情報に基づいて操作を実行することができるように、関連ユーザーのためにラベル情報を設定することができる。
【００４９】
ここで、当該ラベル情報は、「子供の父親」または「子供の母親」であってもよく、「子供の父親」または「子供の母親」を表すマークであってもよい。また、移動端末は、設定されたラベル情報を表示でき、例えば顔アルバムにおけるユーザー顔の底部または上部にラベル情報を表示してよく、ユーザー顔にラベル情報を表示してもよく、例えば、ユーザー顔の右上隅などの位置にラベル情報を表示する。ここでラベル情報の様式および設定された位置に対して具体的に限定しない。
【００５０】
さらに、関連ユーザーのためにラベル情報を設定した後、ユーザーが家族アルバムを作成するなどの操作をトリガした場合、移動端末は、ターゲットユーザーの関連ユーザーを手動で検索してから、関連ユーザーの顔を一つずつ抽出することなく、ターゲットユーザーおよび当該ターゲットユーザーの関連ユーザーの顔を同時に抽出することができ、実現が簡単かつ迅速である。
【００５１】
以下に図３を参照して本開示を例示的に説明する。図３に示すように、ユーザーは、携帯電話３１を使用して子供と自身のために多くの写真を撮ることができ、同時に写真をサーバー３２にアップロードすることができ、ユーザーが「顔アルバム」を開くというオプションをクリックした場合、携帯電話３１はサーバー３２から顔アルバムを取得し、同時に、ターゲットユーザー例えば現在のユーザーの子供を自動的に識別し、当該顔アルバムからターゲットユーザーの少なくとも一つの候補関連ユーザーを選択し、その後候補関連ユーザーの属性情報を取得し、属性情報に基づいてターゲットユーザーの関連ユーザー即ち子供の父親と母親を確定し、子供の父親と母親のためにラベル情報を設定することができ、それによって後のラベル情報に基づいて操作することに便利を与える。
【００５２】
前記関連ユーザー確定方法の実施例において、顔アルバムを取得し、顔アルバムにおけるターゲットユーザーを確定し、顔アルバムからターゲットユーザーの少なくとも一つの候補関連ユーザーを選択し、その後候補関連ユーザーの属性情報を取得し、属性情報に基づいてターゲットユーザーの関連ユーザーを確定し、最後関連ユーザーのためにラベル情報を設定することにより、実現過程が迅速かつ簡単であり、ユーザーが煩雑な操作を行う必要がなく、大量の時間を節約する。
【００５３】
図４ａは一つの例示的な実施例によるユーザーの属性情報を取得するフローチャートであり、当該実施例により候補関連ユーザーの性別および年齢情報を取得できる。図４ａに示すように、当該過程は、以下のステップを含む。
【００５４】
ステップＳ４０１において、訓練サンプルを収集し、訓練サンプルの特徴を抽出し、特徴に基づいて分類器を訓練する。
【００５５】
当該実施例において性別および年齢情報を取得するので、性別訓練サンプルと年齢訓練サンプルを収集する必要があり、対応する訓練サンプルの特徴を抽出し、当該特徴がｇａｂｏｒ特徴を含むことができるがこれに限られなく、その後、特徴に基づいて対応する分類器を訓練する。前記分類器は、サポートベクターマシン（ＳＶＭ：Ｓｕｐｐｏｒｔ  Ｖｅｃｔｏｒ  Ｍａｃｈｉｎｅ）分類器を含むことができるがこれに限られない。
【００５６】
ここで、ｇａｂｏｒ特徴は、画像の局所的特徴測定方法であり、主に局所的テクスチャ特徴を描写することに用いられる。
【００５７】
ステップＳ４０２において、分類器を使用して候補関連ユーザーの性別および所属する年齢層を取得する。
【００５８】
顔アルバムに候補関連ユーザーの複数の顔が含まれるため、当該実施例は、対応する分類器により各候補関連ユーザーのすべての顔の性別および年齢情報を取得し、その後すべての顔の性別および年齢情報を統計することで、統計結果に基づいて対応する候補関連ユーザーの性別および所属する年齢層を取得する。
【００５９】
例えば、各候補関連ユーザーに対して、現在の候補関連ユーザーの年齢情報を取得する過程は、図４ｂに示されることができ、以下のステップを含む。
【００６０】
ステップＳ４０３１において、分類器を使用して現在の候補関連ユーザーの各顔の年齢を取得し、各顔に対応する写真撮影時間を取得する。
【００６１】
ステップＳ４０３２において、取得された年齢および写真撮影時間に基づいて、各顔に対応する誕生時間を計算する。
【００６２】
ステップＳ４０３３において、計算された誕生時間に基づいて現在の候補関連ユーザーの所属する年齢層を確定する。
【００６３】
現在の候補関連ユーザーが４０つの顔があり、１０つの顔に対応する誕生時間が１９８８年であり、８つの顔に対応する誕生時間が１９９０年であり、７つの顔に対応する誕生時間が１９８９年であり、８つの顔に対応する誕生時間が１９８７年であり、２つの顔に対応する誕生時間が１９８０年であり、２つの顔に対応する誕生時間が１９８１年であり、２つの顔に対応する誕生時間が１９９５年であり、１つの顔に対応する誕生時間が１９９６年であると仮定する場合、現在の候補関連ユーザーの所属する年齢層が２５−２８であると確定する。
【００６４】
前記方式により年齢層を確定する場合、正確率が高い。
【００６５】
また、例えば、各候補関連ユーザーに対して、分類器を使用して現在の候補関連ユーザーの各顔に対応する性別を取得し、取得された性別が同じである場合、取得された性別を現在の候補関連ユーザーの性別とし、取得された性別が異なる場合、異なる性別に属する現在の候補関連ユーザーの顔の数を統計し、数がより大きい顔に対応する性別を現在の候補関連ユーザーの性別とする。
【００６６】
現在の候補関連ユーザーが４０つの顔があり、３８つの顔に対応する性別が男であり、２つの顔に対応する性別が女であると仮定する場合、現在の候補関連ユーザーの性別が男であると確定する。
【００６７】
前記方式により性別を確定する場合、正確率が高い。
【００６８】
前記実施例において、各候補関連ユーザーのすべての顔に対応する性別および年齢情報を取得し、その後すべての顔に対応する性別および年齢情報に基づいて対応する候補関連ユーザーの性別および年齢層を確定することにより、正確率が高い。
【００６９】
図５は、一つの例示的な実施例による顔年齢および性別を取得するフローチャートである。図５に示すように、現在の候補関連ユーザーの各顔に対して、現在の顔の年齢および性別を取得することは、以下のステップを含むことができる。
【００７０】
ステップＳ５０１において、分類器を使用して現在の候補関連ユーザーの現在の顔の年齢および性別を取得し、現在の顔の照度および姿態情報を計算し、計算結果を取得する。
【００７１】
撮影角度、撮影光線などの原因で、通常、同じユーザーの異なる顔および年齢の識別結果が正確ではない。この問題を解決するために、本実施例において、現在の顔の照度および姿態情報を計算する必要がある。
【００７２】
ここで、照度情報は、ピクセルグレー値の平均値および分散を使用して計算されることができる。
【００７３】
ステップＳ５０２において、計算結果が照度および姿態要求に合うかを判断し、合う場合、ステップＳ５０３を実行し、合わない場合、ステップＳ５０４を実行する。
【００７４】
当該実施例において、ユーザーの姿態が正面姿態であるか、かつピクセルグレー値の平均値が予め設定された範囲例えば５０−１００に位置するかを判断でき、ユーザーの姿態が正面姿態であり、かつピクセルグレー値の平均値が５０−１００に位置する場合、現在の顔が照度および姿態要求に合うと確定し、そうでない場合、現在の顔が照度および姿態要求に合わないと確定する。
【００７５】
ここで、複数の方式によりユーザーの姿態が正面姿であるかを判断することができ、例えば、現在の顔におけるいくつかの点の位置例えば左目と右目の位置を抽出し、その後左目と右目が対称するかを判断することができ、対称する場合、正面姿であると表明した。
【００７６】
ステップＳ５０３において、取得された年齢および性別を現在の顔の年齢および性別とし、現在の顔およびそれに対応する年齢および性別をデータベースに記憶する。
【００７７】
現在の顔が照度および姿態要求に合う場合、取得された年齢および性別を現在の顔の年齢および性別とすることができ、その後のマッチングのために、現在の顔およびそれに対応する年齢および性別をデータベースに記憶することができる。
【００７８】
ステップＳ５０４において、データベースから現在の顔のマッチング顔を取得し、マッチング顔の年齢および性別を現在の顔の年齢および性別とする。
【００７９】
現在の顔が照度および姿態要求に合わない場合、例えば、現在の顔が側面であり、かつ光線が暗い場合、取得された年齢および性別を現在の顔の年齢および性別とすることは正確ではなく、正確率を向上するように、データベースから現在の顔のマッチング顔を取得し、マッチング顔の年齢および性別を現在の顔の年齢および性別とする必要がある。
【００８０】
前記実施例において、現在の顔が照度および姿態要求に合う場合、取得された年齢および性別を直接に現在の顔の年齢および性別とする。現在の顔が照度および姿態要求に合わない場合、データベースから現在の顔のマッチング顔を取得し、マッチング顔の年齢および性別を現在の顔の年齢および性別とし、それによって現在の顔の性別および年齢の識別正確率を保証する。
【００８１】
前記関連ユーザー確定方法の実施例に対応して、本開示は、また、関連ユーザー確定装置の実施例を提供する。
【００８２】
図６は、一つの例示的な実施例による関連ユーザー確定装置のブロック図である。図６に示すように、関連ユーザー確定装置は、取得モジュール６１、確定選択モジュール６２および確定設定モジュール６３を含む。
【００８３】
取得モジュール６１は、複数のユーザーの顔集合が含まれる顔アルバムを取得するように構成される。
【００８４】
確定選択モジュール６２は、取得モジュール６１により取得された顔アルバムにおけるターゲットユーザーを確定し、顔アルバムからターゲットユーザーの少なくとも一つの候補関連ユーザーを選択するように構成される。
【００８５】
確定設定モジュール６３は、確定選択モジュール６２により選択された候補関連ユーザーの属性情報を取得し、属性情報に基づいてターゲットユーザーの関連ユーザーを確定し、関連ユーザーのためにラベル情報を設定するように構成される。
【００８６】
図６に示す関連ユーザー確定装置が関連ユーザーを確定する過程は、図１に示す実施例を参照できるので、ここで詳細な説明は省略する。
【００８７】
前記関連ユーザー確定装置の実施例について、取得モジュールにより顔アルバムを取得し、確定選択モジュールにより顔アルバムにおけるターゲットユーザーを確定し、顔アルバムからターゲットユーザーの少なくとも一つの候補関連ユーザーを選択し、その後確定設定モジュールにより候補関連ユーザーの属性情報を取得し、属性情報に基づいてターゲットユーザーの関連ユーザーを確定し、関連ユーザーのためにラベル情報を設定し、このようにして、実現過程が迅速かつ簡単であり、ユーザーが煩雑な操作を行う必要がなく、ユーザーのために大量の時間を節約する。
【００８８】
図７は、一つの例示的な実施例による別の関連ユーザー確定装置のブロック図である。図７に示すように、前記図６に示す実施例に基づいて、確定選択モジュール６２は、取得比較サブモジュール６２１と確定サブモジュール６２２を含むことができる。
【００８９】
取得比較サブモジュール６２１は、顔アルバムにおけるすべてのユーザーの顔源写真を取得し、取得されたターゲットユーザー以外のユーザーの顔源写真をターゲットユーザーの顔源写真と比較するように構成される。
【００９０】
確定サブモジュール６２２は、ターゲットユーザーと同じ顔源写真の数が予め設定された数より大きいユーザーを候補関連ユーザーとするように構成される。
【００９１】
図７に示す関連ユーザー確定装置が関連ユーザーを確定する過程は、図１に示す実施例の対応する部分を参照できるので、ここで詳細な説明は省略する。
【００９２】
前記実施例について、候補関連ユーザーを確定する方式は、簡単であり、容易に実現される。
【００９３】
図８は、一つの例示的な実施例による別の関連ユーザー確定装置のブロック図である。図８に示すように、前記図６に示す実施例に基づいて、確定設置モジュール６３は、取得削除サブモジュール６３１と判断確定サブモジュール６３２を含むことができる。
【００９４】
取得削除サブモジュール６３１は、候補関連ユーザーの性別および年齢情報を取得し、年齢情報に基づいて年齢要求に合わない候補関連ユーザーを削除するように構成される。
【００９５】
判断確定サブモジュール６３２は、残りの候補関連ユーザーの性別に基づいて残りの候補関連ユーザーが関連ユーザー数を超えるかを判断し、超えない場合、残りの候補関連ユーザーが関連ユーザーであると確定し、超える場合、予め設定された条件に応じて関連ユーザーを確定するように構成される。
【００９６】
一つの実施例において、判断確定サブモジュール６３２は、残りの候補関連ユーザーの顔数を取得し、顔数が最大の候補関連ユーザーを関連ユーザーとするように構成される。
【００９７】
図８に示す関連ユーザー確定装置が関連ユーザーを確定する過程は、図１に示す実施例の対応する部分を参照できるので、ここで詳細な説明は省略する。
【００９８】
前記実施例について、候補関連ユーザーの属性情報に基づいて関連ユーザーを確定する方式は、簡単であり、容易に実現される。
【００９９】
図９は、一つの例示的な実施例による別の関連ユーザー確定装置のブロック図である。図９に示すように、前記図８に示す実施例に基づいて、取得削除サブモジュール６３１は、収集抽出訓練ユニット６３１１と取得ユニット６３１２を含むことができる。
【０１００】
収集抽出訓練ユニット６３１１は、訓練サンプルを収集し、ｇａｂｏｒ特徴が含まれる訓練サンプルの特徴を抽出し、特徴に基づいてＳＶＭ分類器が含まれる分類器を訓練するように構成される。
【０１０１】
取得ユニット６３１２は、収集抽出訓練ユニット６３１１により訓練された分類器を使用して候補関連ユーザーの性別よび所属する年齢層を取得するように構成される。
【０１０２】
一つの実施例において、取得ユニット６３１２は、各候補関連ユーザーに対して、分類器を使用して現在の候補関連ユーザーの各顔の年齢を取得し、各顔に対応する写真撮影時間を取得し、年齢および写真撮影時間に基づいて各顔に対応する誕生時間を計算し、計算された誕生時間に基づいて現在の候補関連ユーザーの所属する年齢層を確定し、各候補関連ユーザーに対して、分類器を使用して現在の候補関連ユーザーの各顔に対応する性別を取得し、取得された性別が同じである場合、取得された性別を現在の候補関連ユーザーの性別とし、取得された性別が異なる場合、異なる性別に属する現在の候補関連ユーザーの顔の数を統計し、数がより大きい顔に対応する性別を現在の候補関連ユーザーの性別とするように構成されることができる。
【０１０３】
別の実施例において、取得ユニット６３１２は、現在の候補関連ユーザーの各顔に対して、分類器を使用して現在の候補関連ユーザーの現在の顔の年齢および性別を取得し、現在の顔の照度および姿態情報を計算し、計算結果が照度および姿態要求に合う場合、取得された年齢および性別を現在の顔の年齢および性別とし、現在の顔およびそれに対応する年齢および性別をデータベースに記憶し、計算結果が照度および姿態要求に合わない場合、データベースから現在の顔のマッチング顔を取得し、マッチング顔の年齢および性別を現在の顔の年齢および性別とするように構成されることができる。
【０１０４】
図９に示す関連ユーザー確定装置が関連ユーザーを確定する過程は、図４ａ，図４ｂと図５に示す実施例の対応する部分を参照できるので、ここで詳細な説明は省略する。
【０１０５】
前記実施例について、関連ユーザーの属性情報を取得する方式は、柔軟、多様であり、かつ正確率が高い。
【０１０６】
前記実施例における装置について、各モジュール、サブモジュールが操作を実行する具体的な方式は、すでに当該方法に関する実施例に詳しく説明されたので、ここで詳細な説明は省略する。
【０１０７】
図１０は、一つの例示的な実施例による関連ユーザー確定装置に適用するブロック図である。例えば、装置１０００は、携帯電話、コンピューター、デジタル放送端末、メッセージ送受信装置、ゲームコンソール、タブレットデバイス、医療装置、フィットネス機器、パーソナルデジタルアシスタントおよび航空機などであってよい。
【０１０８】
図１０を参照して、装置１０００は、処理コンポーネント１００２、メモリ１００４、電源コンポーネント１００６、マルチメディアコンポーネント１００８、オーディオコンポーネント１０１０、入力／出力（Ｉ／Ｏ）インタフェース１０１２、センサーコンポーネント１０１４および通信コンポーネント１０１６の１つ以上のコンポーネントを含むことができる。
【０１０９】
処理コンポーネント１００２は、一般的に、制御装置１０００の全体操作、例えば表示、電話コール、データ通信、カメラ操作および記憶操作に関する操作を制御する。処理コンポーネント１００２は、上述した方法の全部または一部のステップを完成するように、１つ以上のプロセッサ１０２０を含んでコマンドを実行することができる。また、処理コンポーネント１００２は、他のコンポーネントとのインタラクションを容易にするように、１つ以上のモジュールを含むことができる。例えば、処理コンポーネント１００２は、マルチメディア１００８とのインタラクションを容易にするように、マルチメディアモジュールを含むことができる。
【０１１０】
メモリ１００４は、装置１０００での操作をサポートするように、様々なデータを記憶するように構成される。これらのデータの例は、装置１０００で操作されるいかなるアプリケーションプログラムまたは方法のためのコマンド、連絡先データ、電話帳データ、メッセージ、ピクチャー、ビデオなどを含む。メモリ１００４は、いかなるタイプの揮発性または不揮発性記憶装置またはそれらの組み合わせ、例えばスタティックランダムアクセスメモリ（ＳＲＡＭ）、電気的消去可能プログラマブル読み取り専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されることができる。
【０１１１】
電源コンポーネント１００６は、装置１０００の各コンポーネントに電力を提供する。電源コンポーネント１００６は、電源管理システム、１つ以上の電源、および装置１０００のために電力を生成、管理および割り当てることに関する他のコンポーネントを含むことができる。
【０１１２】
マルチメディアコンポーネント１００８は、前記装置１０００とユーザーの間にある、一つの出力インタフェースを提供するスクリーンを含む。いくつかの実施例において、スクリーンは、液晶ディスプレー（ＬＣＤ）とタッチパネル（ＴＰ）を含むことができる。スクリーンは、タッチパネルを含む場合、ユーザーからの入力信号を受信するように、タッチスクリーンとして実現されることができる。タッチパネルーは、タッチ、スライドおよびタッチパネル上のジェスチャーをセンシングするように、１つ以上のタッチセンサーを含む。前記タッチセンサーは、タッチまたはスライド動作の限界をセンシングすることができるだけでなく、前記タッチまたはスライド操作に関する持続時間および圧力を検出することができる。いくつかの実施例において、マルチメディアコンポーネント１００８は、一つのフロントカメラおよび/またはリアカメラを含む。装置１０００が操作モード、例えば撮影モードまたはビデオモードにある場合、フロントカメラおよび／またはリアカメラは、外部のマルチメディアデータを受信できる。各フロントカメラおよび／またはリアカメラは、固定された光学レンズシステムであってよく、または焦点距離および光学ズーム機能を備える。
【０１１３】
オーディオコンポーネント１０１０は、オーディオ信号を出力および／または入力するように構成される。例えば、オーディオコンポーネント１０１０は一つのマイク（ＭＩＣ）を含み、装置１０００が呼び出しモード、記録モードおよび音声識別モードのような操作モードにある場合、マイクは、外部のオーディオ信号を受信するように構成される。受信されたオーディオ信号は、さらにメモリ１００４に記憶され、または、通信コンポーネント１０１６を介して送信されることができる。いくつかの実施例において、オーディオコンポーネント１０１０は、さらに、オーディオ信号を出力するためのスピーカーを含む。
【０１１４】
Ｉ／Ｏインタフェース１０１２は、処理コンポーネント１００２と周辺インタフェースモジュールの間にインタフェースを提供する。前記周辺インタフェースモジュールは、キーボード、クリックホイール、ボタンなどであってよい。これらのボタンは、ホームページボタン、音量ボタン、スタートボタンとロックボタンを含むことができるがこれらに限られない。
【０１１５】
センサーコンポーネント１０１４は、装置１０００のために各方面の状態評価を提供するための１つ以上のセンサーを含む。例えば、センサーコンポーネント１０１４は、装置１０００のオン／オフ状態、コンポーネントの相対的な位置決め、例えば前記コンポーネントが装置１００００のディスプレイとキーパッドであることを検出でき、センサーコンポーネント１０１４は、さらに装置１０００または装置１０００の一つのコンポーネントの位置変化、ユーザーと装置１０００の接触の有無、装置１０００の方位または加速／減速と装置１０００の温度変化を検出することができる。センサーコンポーネント１０１４は、さらに、いかなる物理的な接触がない場合に付近物体の存在を検査するように構成される近接センサーを含むことができる。センサーコンポーネント１０１４は、さらにイメージングアプリケーションに使用されるＣＭＯＳまたはＣＣＤ画像センサーのような光センサーを含むことができる。いくつかの実施例において、当該センサーコンポーネント１０１４は、さらに、加速度センサー、ジャイロセンサー、磁気センサー、圧力センサーまたは温度センサーを含むことができる。
【０１１６】
通信コンポーネント１０１６は、装置１０００と他の設備との有線または無線通信を容易にするように構成される。装置１０００は、ＷｉＦｉ、２Ｇまたは３Ｇ、またはそれらの組み合わせのような通信基準に基づく無線ネットワークにアクセスすることができる。一つの例示的な実施例において、通信ユニット１０１６は、放送チャネルを介して外部放送管理システムからの放送信号または放送に関する情報を受信する。一つの例示的な実施例において、前記通信コンポーネント１０１６は、さらに、近距離通信を促進するように、近距離通信（ＮＦＣ）モジュールを含む。例えば、ＮＦＣモジュールは、無線周波数識別（ＲＦＩＤ）技術、赤外線データ協会（ＩｒＤＡ）技術、ウルトラワイドバンド（ＵＷＢ）技術、ブルートゥース（登録商標）（ＢＴ）技術と他の技術に基づいて実現されることができる。
【０１１７】
例示的な実施例において、装置１０００は、１つ以上の特定用途向け集積回路（ＡＳＩＣ）、ディジタル信号処理機（ＤＳＰ）、ディジタル信号処理設備（ＤＳＰＤ）、プログラマブルロジックデバイス（ＰＬＤ）、フィールドプログラマブル ゲートアレイ（ＦＰＧＡ）、コントローラ、マイクロコントローラ、マイクロプロセッサまたは他の電子部品によって実現されることができ、前記方法を実行することに用いられる。
【０１１８】
例示的な実施例において、コマンドが含まれるメモリ１００４のような非一時的なコンピュータ可読記憶媒体が提供される。前記コマンドは、装置１０００のプロセッサ１０２０によって実行されて前記方法を完成する。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスクと光データ記憶設備などであってよい。
【０１１９】
当業者は、明細書を考えてここで開示された実施例を実践した後、本開示のほかの実施案を容易に想到する。本出願は、本公開のいかなる変形、用途または適応的変化をカバーすることを意図し、これらの変形、用途または適応的変化が本開示の一般的な原理に従いかつ本開示に開示されない本分野の周知の常識または慣用技術手段を含む。明細書と実施例は、例示的なものと見なされるだけであり、本開示の本当の範囲と精神は、以下の特許請求の範囲によって示される。
【０１２０】
本発明は、上述され且つ図面に示される精確な構造に限定されるものではなく、かつその範囲から逸脱することなく様々な変形および変更を行うことができると理解すべきである。本公開の範囲は、添付の特許請求の範囲のみによって限定される。
【産業上の利用可能性】
【０１２１】
本開示の実施例による技術的解決手段は、顔アルバムを取得し、顔アルバムにおけるターゲットユーザーを確定し、顔アルバムからターゲットユーザーの少なくとも一つの候補関連ユーザーを選択し、その後候補関連ユーザーの属性情報を取得し、属性情報に基づいてターゲットユーザーの関連ユーザーを確定し、最後関連ユーザーのためにラベル情報を設定することにより、実現過程が迅速かつ簡単であり、ユーザが頻雑な操作を行う必要がなく、ユーザーのために大量の時間を節約するという有益な効果を含むことができる。
【０１２２】
候補関連ユーザーを確定する方式は、簡単であり、容易に実現される。
【０１２３】
候補関連ユーザーの属性情報に基づいて関連ユーザを確定する方式は、簡単であり、容易に実現される。
【０１２４】
間連ユーザーの属性情報を取得する方式は、簡単かつ柔軟である。
【０１２５】
予め設定された条件に応じて関連ユーザーを確定する方式は、簡単でありかつ正確率が高い。
【０１２６】
各候補関連ユーザーのすべての顔に対応する性別および年齢情報を取得し、その後すべての顔に対応する性別および年齢情報に基づいて候補関連ユーザーの性別および年齢層を確定することにより、正確率が高い。
【０１２７】
現在の顔が照度および姿態要求に合う場合、取得された年齢および性別を直接に現在の顔の年齢および性別とし、現在の顔が照度および姿態要求に合わない場合、データベースから現在の顔のマッチング顔を取得し、マッチング顔の年齢および性別を現在の顔の年齢および性別とすることにより、現在の顔の性別および性別の識別正確率が保証される。
【図１】
0006263263.tif 000002
【図２ａ】
0006263263.tif 000003
【図２ｂ】
0006263263.tif 000004
【図３】
0006263263.tif 000005
【図４ａ】
0006263263.tif 000006
【図４ｂ】
0006263263.tif 000007
【図５】
0006263263.tif 000008
【図６】
0006263263.tif 000009
【図７】
0006263263.tif 000010
【図８】
0006263263.tif 000011
【図９】
0006263263.tif 000012
【図１０】
0006263263.tif 000013